(57)【要約】【課題】  外径の増大を伴わず、カム筒のカム端面形状の精度を確保し、かつ、成形容易なレンズ鏡筒の提供。【解決手段】  第１、第２のレンズユニット４、５はそれぞれ第１、第２のカムフォロア６、７を有し、カム筒２のカム溝と、直進ガイド筒３の直進ガイド溝３ａにそれぞれ当接するよう構成される。カム筒２は、カム筒中央部２ａ、第１のカム保持部２ｂ、第２のカム保持部２ｃで構成され、組立以前の状態ではカム溝の端面が外部に露出している。【選択図】  図１
2005274704.tif 000002
【特許請求の範囲】
【請求項１】
光軸に平行なスリット状の開口からなる直進ガイド溝が形成された直進ガイド筒と、
前記直進ガイド筒に回動可能に支持され、歯車及びカム溝を有するカム筒と、
前記直進ガイド筒の直進ガイド溝と前記カム筒のカム溝に係合するカムフォロアを有し、前記直進ガイド筒の内周側に配置され、レンズを保持するレンズユニットと、を具備するレンズ鏡筒において、
前記カム筒は、前記カム溝の内部に分割境界面を有する複数の筒部で構成されるレンズ鏡筒。
【請求項２】
光軸に平行なスリット状の開口からなる直進ガイド溝が形成された直進ガイド筒と、
前記直進ガイド筒に回動可能に支持され、歯車及びカム溝を有するカム筒と、
前記カム筒のカム溝に係合するカムフォロアを有し、前記直進ガイド筒の内周側に配置され、レンズを保持するレンズ保持枠を有するレンズユニットと、を具備するレンズ鏡筒において、
前記レンズユニットの外周部に設けられ、前記直進ガイド筒の直進ガイド溝に係合する前記カムフォロアと別体の直進ガイドキーと、
前記カム筒は、前記カム溝の内部に分割境界面を有する複数の筒部で構成されるレンズ鏡筒。
【請求項３】
歯車及びカム溝を有する回動可能なカム筒と、
前記カム筒のカム溝に係合するカムフォロアを有し、レンズを保持するレンズ保持枠を含むレンズユニットと、を具備するレンズ鏡筒において、
光軸と平行に延伸した直進ガイド棒を含む直進ガイド部材を備え、
前記直進ガイド棒を嵌合する嵌合部を前記レンズ保持枠に形成し、
前記カム筒は、前記カム溝の内部に分割境界面を有する複数の筒部で構成されるレンズ鏡筒。
【請求項４】
請求項１〜３のいずれか一項に記載のレンズ鏡筒において、前記カム溝の各カム端面及び前記カムフォロアを介して、レンズユニットを光軸方向に付勢する弾性部をカム筒の両端部に具備したレンズ鏡筒。
【請求項５】
請求項１〜３のいずれか一項に記載のレンズ鏡筒において、前記カム筒の両端部と対向する位置に弾性体保持部を配置し、前記カム溝の各カム端面及び前記カムフォロアを介して、レンズユニットを光軸方向に付勢する弾性体を前記弾性体保持部とカム筒の端部との間に間挿したレンズ鏡筒。
【発明の詳細な説明】
【技術分野】
【０００１】
本発明は、例えばデジタルスチルカメラやカメラ付携帯機器のような小型撮像装置を含む機器に用いられるレンズ鏡筒に関するものである。
【背景技術】
【０００２】
例えばデジタルスチルカメラに代表される撮像装置の撮影レンズとして用いられるズームレンズ等においては、レンズを保持するレンズ保持枠に、カム筒を利用して光軸方向への所定の移動を生じさせて変倍を行わせるレンズ鏡筒が知られている。すなわち、このようなレンズ鏡筒においては、光学系を構成する複数のレンズ群を相対的な動作を伴って光軸方向に直進駆動するために、カム機構及び直進ガイド機構が用いられる。典型的には、所定の動作軌跡に従ったスリット状の開口からなるカム溝を有するカム筒や光軸方向に沿う直線をなすスリット状の開口からなる直進ガイド溝を有する直進ガイド筒を、レンズ保持枠により保持されるレンズと同軸に設け、前記レンズ保持枠に突設されるピンからなるカムフォロアを前記カム溝や直進ガイド溝に係合させるようなカム機構及び直進ガイド機構を備えたレンズ鏡筒が一般的に知られている（例えば、特許文献１参照。）。
【０００３】
また、樹脂成型に適したカム筒形状を用いたカム機構を備えたレンズ鏡筒として、成形型の構造を単純化するために、上下のカム溝端面の位置を周方向にずらし、カム溝の端面が対向しないように配置した、後者のレンズ鏡筒の構成が一般的に知られている（例えば、特許文献２参照。）。
【特許文献１】実用登録第１０３２４２６号公報（第１−４頁、図３−５）
【特許文献２】特許第３１９１４２２号公報（段落００１０−００１５、図１−２）
【発明の開示】
【発明が解決しようとする課題】
【０００４】
しかしながら、前者のレンズ鏡筒の構成では、カム筒の周壁を貫通して溝状のカム溝を形成する工程を含むため、カム筒の成形型の複雑さによる高コスト化、若しくはカム溝の切削工程における端面形状の精度等で課題があった。
【０００５】
一方、成形型の構造を単純化するために、上下のカム溝端面の位置を周方向にずらし、カム溝の端面が対向しないように配置した、後者のレンズ鏡筒の構成では、外径が増加する課題があった。特に、一つのカム筒で複数のレンズ保持枠を保持する場合、光軸方向に複数のカム溝を形成する必要性から、カム筒の外周部を段形状に成形する必要があり、レンズ鏡筒の外径が更に増加する課題があった。
【０００６】
また、レンズ保持枠の滑らかな移動を実現しながら、光軸方向のレンズ保持枠の位置精度と、光軸に対するレンズ保持枠の傾き、特にレンズ鏡筒が外部振動によるレンズ位置バラツキを低減するために、カム溝の端面形状とカム溝の端面間距離の精度を確保する課題があった。
【０００７】
更に、レンズ保持枠の所定の孔位置に複数のカムフォロアを突設する場合、レンズ保持枠を直進ガイド筒に収容した後に、カム溝と直進ガイド溝が重なる狭い貫通部に複数のカムフォロアを貫通し、カムフォロアをレンズ保持枠の所定の孔位置に固定する必要があるため、組立工程が複雑化する課題があった。
【０００８】
本発明は、前述の事情に鑑みてなされたもので、レンズ鏡筒の小径化と、レンズ保持枠の位置精度向上と、レンズ保持枠の円滑な駆動と、成形容易なカム筒を使用したレンズ鏡筒を低コストで実現することを目的としている。
【課題を解決するための手段】
【０００９】
本発明は、前記課題を解決するために、光軸に平行なスリット状の開口からなる直進ガイド溝が形成された直進ガイド筒と、前記直進ガイド筒に回動可能に支持され、歯車及びカム溝を有するカム筒と、直進ガイド筒の前記直進ガイド溝と前記カム筒のカム溝に係合するカムフォロアを有し、前記直進ガイド筒の内周側に配置されてレンズを保持するレンズユニットと、を具備するレンズ鏡筒において、前記カム筒は、前記カム溝の内部に分割境界面を有する複数の筒部で構成した。
【００１０】
この発明では、カム筒を構成する筒部をそれぞれ分割して成形することにより、カム筒の小径化、カム筒のカム溝端面の加工精度向上と加工コストの低減、加工精度向上に伴うレンズ位置の高精度化とレンズ駆動の低トルク化が実現する。
【００１１】
他の発明は、前記課題を解決するために、光軸に平行なスリット状の開口からなる直進ガイド溝が形成された直進ガイド筒と、前記直進ガイド筒に回動可能に支持され、歯車及びカム溝を有するカム筒と、カム筒の前記カム溝に限定して係合するカムフォロアを有し、前記直進ガイド筒の内周側に配置されてレンズを保持するレンズ保持枠を含むレンズユニットと、を具備するレンズ鏡筒において、前記レンズ保持枠外周面に形成され、前記直進ガイド筒の直進ガイド溝に限定して係合する直進ガイドキーを備え、前記カム筒は、前記カム溝の内部に分割境界面を有する複数の筒部で構成した。
【００１２】
この発明では、カム筒を構成する部品をそれぞれ分割して成形することにより、カム筒の小径化、カム筒のカム溝端面の加工精度向上及び加工コストの低減、端面の加工精度向上に伴うレンズ位置の高精度化とレンズ駆動の低トルク化が実現する。
【００１３】
他の発明は、前記課題を解決するために、歯車及びカム溝を有するカム筒と、前記カム筒のカム溝に限定して係合するカムフォロアを有し、レンズを保持するレンズ保持枠を含むレンズユニットと、を具備するレンズ鏡筒において、光軸と平行に延伸した直進ガイド棒を含む直進ガイド部材を備え、前記直進ガイド棒を嵌合する嵌合部を前記レンズ保持枠に形成し、前記カム筒は、前記カム溝の内部に分割境界面を有する複数の筒部で構成した。
【００１４】
この発明では、カム筒を構成する筒部をそれぞれ分割して成形することにより、カム筒の小径化、カム筒のカム溝端面の加工精度向上及び加工コストの低減、端面の加工精度向上に伴うレンズ位置の高精度化とレンズ駆動の低トルク化が実現する。
【００１５】
また、本発明の好ましい形態としては、前記カム溝の各端面及び前記カムフォロアを介して、レンズユニットを光軸方向に付勢する弾性部をカム筒の両端部に具備するようにレンズ鏡筒を構成した。
【００１６】
この発明においては、ばね性を持たせた弾性部を形成させることによりレンズユニットを付勢し、比較的容易にレンズユニットの光軸方向のブレ及びガタを低減することが可能となる。
【００１７】
他に、本発明の好ましい形態としては、前記カム筒の両端部と対向する位置に弾性体保持部を配置し、前記カム溝の各端面及び前記カムフォロアを介して、レンズユニットを光軸方向に付勢する弾性体を前記弾性体保持部とカム筒の端部との間に間挿するようにレンズ鏡筒を構成した。
【００１８】
この発明においては、ばね性を持たせた弾性体を使用してレンズユニットを付勢し、比較的容易にレンズユニットの光軸方向のブレ及びガタを低減することが可能となる。
【発明の効果】
【００１９】
本発明によれば、レンズ鏡筒の小径化とレンズ位置の高精度化とレンズ駆動の低トルク化を実現することが可能となる。すなわち、本発明のレンズ鏡筒によれば、光軸に平行なスリット状の開口からなる直進ガイド溝が形成された直進ガイド筒と、前記直進ガイド筒の内周側に配置されてレンズを保持するレンズ保持枠と、前記直進ガイド筒の外周に嵌装され、前記レンズ保持枠を前記光軸方向に沿って移動させるためのスリット状の開口からなるカム溝を有するカム筒と、レンズ保持枠に突設され、直進ガイド筒の直進ガイド溝に係合する第１の係合部とカム筒のカム溝に係合する第２の係合部とを有するカムフォロアと、を具備するレンズ鏡筒において、特に、レンズ鏡筒自体の小径化、小型化を図りながら、カムフォロアのカム溝等からの脱落と、手ブレ等による悪影響が効果的に防止され、型成形等によるカム筒の製造も容易で、しかも容易に組立可能な構成を実現できる。
【発明を実施するための最良の形態】
【００２０】
以下、本発明の実施形態にかかわるレンズ鏡筒について、図面に基づき本発明のレンズ鏡筒を詳細に説明する。図１〜図３は、本発明の一つの実施の形態に係るレンズ鏡筒の構成を示している。図１は、レンズ鏡筒の全体構成を示す分解斜視図、図２は、カム筒を構成する各筒部の詳細に示す分解斜視図、そして図３は、レンズ鏡筒の縦断面図である。
図１〜図３に示すレンズ鏡筒１は、カム筒２、直進ガイド筒３、第１のレンズユニット４、第２のレンズユニット５、複数の第１のカムフォロア６、複数の第２のカムフォロア７、鏡筒ベース８、鏡筒カバー９、例えばＬ１レンズを含む第１のレンズ群１１（図３参照）、例えば複数のレンズＬ２、Ｌ３を含む第２のレンズ群１２（図３参照）、例えばＬ４レンズを含む第３のレンズ部１３を備える。
【００２１】
カム筒２を構成する個々の筒部について、図２に基づき説明する。カム筒２は、内部に開口部を有し、カム溝２ｄ及びカム溝２ｅの内部に分割境界面を有するカム筒中央部２ａ、第１のカム保持部２ｂ、第２のカム保持部２ｃの複数の筒部から構成される。
【００２２】
カム筒中央部２ａは、一端を第１のカムフォロア６と接触するカム溝２ｄの一部となるカム端面２ｄ１と他端を第２のカムフォロア７と接触するカム溝２ｅの一部となるカム端面２ｅ１を有し、カム筒外周部に図示されていないモータによる回転駆動力を受ける歯車２ｆを備える。なお、この歯車２ｆはカム筒中央部に一体成形されているが、別に成形された歯車を接着等でカム筒中央部に後付けする構成でもよい。
【００２３】
第１のカム保持部２ｂは、カム溝２ｄの一部となるカム端面２ｄ２を有し、カム筒中央部のカム端面２ｄ１に対向するように配置される。第２のカム保持部２ｃは、カム溝２ｅの一部となるカム端面２ｅ２を有し、カム筒中央部のカム端面２ｅ１に対向するように配置される。直進ガイド筒３は、内部に開口部を有し、第１、第２のレンズユニット４、５を内包し、一端に第１、第２のカムフォロア６、７を嵌入する嵌入口を備え、第１、第２のレンズユニット４、５が光軸方向に沿って直進移動するよう、光軸方向に沿う直線スリット状の開口部からなる複数の直進ガイド溝３ａが直進ガイド筒の周壁面３ｂを貫通する形で形成される。
【００２４】
第１、第２のレンズユニット４、５は、それぞれレンズ保持枠４ａ、５ａを含み、前記レンズ保持枠４ａ、５ａには複数の第１、第２のカムフォロア６、７が外周部に突設され、撮影レンズ系を構成する第１のレンズ群１１及び第２のレンズ群１２をそれぞれレンズ保持枠４ａ、５ａに内包する。
【００２５】
第１のカムフォロア６は、カム筒２の第１のカム溝２ｄと直進ガイド筒３の直進ガイド溝３ａに係合しており、カム筒２及びカム溝２ｄの回転と、直進ガイド筒３及び直進ガイド溝３ａによる規制作用によって、第１のレンズユニット４と共に光軸方向に沿って回転することなく移動させられる。同様に、第２のカムフォロア７は、カム溝２ｅと、直進ガイド溝３ａに係合しており、カム筒２及びカム溝２ｂの回転と、直進ガイド筒３及び直進ガイド溝３aによる規制作用によって、第２のレンズユニットと共に光軸方向に沿って回転することなく移動させられる。なお、第１、第２のカムフォロアは金属若しくは樹脂等により形成されており、それぞれ第１、第２のレンズユニットと一体成形されるか、圧入等により第１、第２のレンズユニットに予め固定されている。
【００２６】
鏡筒ベース８は、開口部８ａを有し、この開口部の内周に第３のレンズ部１３を保持した直進ガイド筒３を嵌合固定する。この第３のレンズ部は、直進ガイド筒に固定されるか、光軸方向に移動可能な状態で保持される。なお、第３のレンズ部は、直進ガイド筒に固定されるか、光軸方向に移動可能な状態で保持される代わりに、鏡筒ベースに固定されるか、光軸方向に移動可能な状態で保持される構成でもよい。
【００２７】
鏡筒カバー９は、鏡筒ベース８に固定され、開口部９ａを有し、この開口部の内周にカム筒２を保持し、鏡筒カバーの端面９ｂ（図示？）により、カム筒の歯車２ｆの一端面に作用して、カム筒の光軸方向の移動を規制する。
【００２８】
付勢ばね１４は、第１のレンズユニット４と第２のレンズユニット５のガタ及びブレを防止するために、第１、第２のレンズユニット間に配置され、互いに反発する方向に付勢する。なお、カム筒の光軸方向のガタ及びブレを防止するために、カム筒２を鏡筒ベース方向に付勢する円環状の弾性部材を鏡筒カバーとカム筒の歯車２ｆとの間に使用することが好ましい。
【００２９】
次にレンズ鏡筒の組立方法について、図１の分解斜視図に基づき説明する。
【００３０】
最初に、鏡筒ベース８の開口部８ａに、予め第３のレンズ部１３を固定した直進ガイド筒３を嵌合固定し、第２のカム保持部２ｃを直進ガイド筒３の先端側から挿入する。次に、第２のレンズ群１２を内包する第２のレンズユニット５を直進ガイド筒の先端側から挿入する。なお、複数の第２のカムフォロア７をそれぞれ直進ガイド筒の直進ガイド溝３ａに嵌入し、第２のカム保持部２ｃの端面に接触するまで、第２のレンズユニット５を挿入する。第２のレンズユニットを挿入した後、カム筒中央部２ａを直進ガイド筒の先端側から挿入し、第１のレンズ群１１を内包する第１のレンズユニット４を挿入する。なお、第２のレンズユニットをカム筒２及び直進ガイド筒に挿入する工程と同様に、複数の第１のカムフォロア６をそれぞれ直進ガイド溝３ａに嵌入し、カム筒中央部２ａのカム溝２ｄの端面に接触するまで、第１のレンズユニット４を挿入する。最後に、第１のカム保持部２ｂを挿入し、カム筒中央部２ａと第１のカム保持部２ｂ及び第２のカム筒保持部２ｃを接着等によって固定することにより、カム筒２が一体化する。最後に、鏡筒カバー９を直進ガイド筒の先端側から挿入し、鏡筒ベース８に固定する。
【００３１】
次に、直進ガイドキーを使用して第１、第２のレンズユニットの回転を防止するレンズ鏡筒について、図４〜５に基づき説明する。図４は直進ガイドキーを使用したレンズ鏡筒の分解斜視図で、図５はレンズユニットにおける直進ガイドキーの詳細な位置及び形状を示す斜視図である。
【００３２】
図１に示すレンズ鏡筒１は、カム溝２ｄ、２ｅの内部で分割可能なカム筒中央部２ａ、第１のカム保持部２ｂ、第２のカム保持部２ｃの各筒部で構成されるカム筒２を備え、第１、第２のカムフォロアと直進ガイド筒の直進ガイド溝３ａによって、第１、第２のレンズ群を内包する第１、第２のレンズユニット４、５が光軸方向に直進移動するよう構成されているが、図４に示すレンズ鏡筒１ａの構成では、第１、第２のレンズユニット４１、４２の外周部に前記第１、第２のカムフォロアとは異なる周方向への突起部である第１、第２の直進ガイドキー１５、１６を設け、この直進ガイドキーと直進ガイド筒の直進ガイド溝３ａが係合することにより、回転が防止され、第１、第２のカムフォロア６、７と直進ガイド筒の直進ガイド溝３ａが直接係合しないように構成した。この場合でも、第１、第２のレンズユニット４１、４２の回転を防止しながら、カム筒２を分割して成形し、後に一体化することによる効果を実現することが可能となる。なお、図４、５で示した直進ガイドキーは、カムフォロアの嵌合部の周囲に形成されているが、カムフォロアと離れた位置で、レンズユニットの外周部に形成することも可能である。
【００３３】
次に、光軸に平行に配置した直進ガイド部材を使用して第１、第２のレンズユニットの直進移動を行うレンズ鏡筒について、図６に基づき説明する。図６は直進ガイド部材を使用したレンズ鏡筒の分解斜視図である。
【００３４】
図１に示す構成のレンズ鏡筒１では、第１、第２のカムフォロア６，７と直進ガイド筒の直進ガイド溝３ａによって、第１、第２のレンズ群を内包する第１、第２のレンズユニット４、５が光軸方向に直進移動するように構成されているが、この第１、第２のカムフォロアと直進ガイド筒の代わりに、図６に示すレンズ鏡筒１ｃの構成は、カム溝２ｄ、２ｅの内部を通る境界面で分割可能なカム筒中央部２ａ、第１のカム保持部２ｂ、第２のカム保持部２ｃの各筒部で構成されるカム筒２を備え、光軸に平行に配置される直進ガイド棒１７ａを含み鏡筒ベース８に嵌入して固定する直進ガイド部材１７を使用し、鏡筒ベース８の一端面に前記直進ガイド部材１７の一端を固定し、第１、第２のレンズユニット４３、４４のレンズ保持部４３ａ、４４ａに形成した嵌入部４３ｃ、４４ｃに直進ガイド部材を嵌入した。
【００３５】
この構成でも、第１、第２のレンズユニット４３、４４の回転を防止しながら、図１に示すレンズ鏡筒と同様の効果を実現することが可能となる。なお、図６のレンズ鏡筒では、直進ガイド棒１７ａと直進ガイドベース部１７ｂと一体化するように構成したが、直進ガイド部と直進ガイド部材のベース部を別体で作成し、後に固定する構成でも実質的に同様な構成であり、図１に示すレンズ鏡筒と同様の効果を実現することが可能となる。
【００３６】
次に、レンズユニットの付勢方法として、カム筒の両端部に複数のばね部を一体成形したレンズ鏡筒１ｃの構成について、図７の分解斜視図に基づき説明する。
【００３７】
レンズ鏡筒１ｃは、カム筒２１、直進ガイド筒３、第１のレンズユニット４、第２のレンズユニット５、複数の第１のカムフォロア６、複数の第２のカムフォロア７、鏡筒ベース８、鏡筒カバー９、例えばＬ１レンズを含む第１のレンズ群１１、例えばＬ２、Ｌ２レンズを含む第２のレンズ群１２、例えばＬ４レンズを含む第３のレンズ部１３を備え、直進ガイド筒３の先端部にレンズユニットストッパ１０が嵌合保持される。
【００３８】
カム筒２１は、カム溝２ｄ、２ｅの内部を通る境界面で分割可能なカム筒中央部２１ａ、第１のカム保持部２１ｂ、第２のカム保持部２１ｃの各筒部で構成される。第１のカム保持部２１ｂは、一端に複数のばね部２１ｇが形成され、他端に第１のカムフォロア６を押圧するカム面２１ｄ２が形成されている。第２のカム保持部２１ｃは、一端に第２のカムフォロア７を押圧する複数のカム面２１ｅｄ２が形成され、他端に複数のばね部２１ｈが形成されている。カム中央部２１ａには、レンズ鏡筒の先端側から順に、カム端面２１ｄ１、カム端面２１ｅ１、カム筒が回転する力を受ける歯車２１ｆが形成されている。
【００３９】
第１のカム保持部に形成されたばね部２１ｇは、レンズユニットストッパの端面１０ａに接触し、その反作用によって、第１のカム保持部２１ｂを鏡筒ベース方向に押圧し、第１のカム保持部２１ｂの端面を介して、複数の第１のカムフォロア６をカム筒中央部の端面２１ｄ１に付勢する。
【００４０】
一方、第２のカム保持部２１ｃに形成された複数のばね部２１ｈは、直進ガイド筒のフランジ端面３ｂに接触し、その反作用によって、第２のカム保持部をレンズ鏡筒の先端方向に押圧し、第２のカム保持部の端面２１ｅ２を介して、複数の第２のカムフォロア７をカム筒中央部の端面２１ｅ１に付勢する。この結果として、カム筒２１を回転駆動させることにより、第１のレンズ群１１、レンズユニット４、カムフォロア６は光軸方向に一体的に移動し、同様に第２のレンズ群１２、レンズユニット５、カムフォロア７は光軸方向に一体的に移動することにより、第１、第２のレンズ群の相対位置をカム筒中央部２１ａの端面２１ｄ１、２１ｅ１の距離で規定することが可能となる。
【００４１】
次に、レンズユニットの付勢方法として、カム筒と別体の弾性部材である円環状ばねを使用したレンズ鏡筒１ｄの構成について、図８の分解斜視図に基づき説明する。
【００４２】
レンズ鏡筒１ｄは、カム筒３１、直進ガイド筒３、第１のレンズユニット４、第２のレンズユニット５、複数の第１のカムフォロア６、複数の第２のカムフォロア７、鏡筒ベース８、鏡筒カバー９、レンズユニットストッパ１０、例えばＬ１レンズを含む第１のレンズ群１１、例えばＬ２、Ｌ３レンズを含む第２のレンズ群１２、例えばＬ４レンズを含む第３のレンズ部１３を備え、直進ガイド筒３の先端部にレンズユニットストッパ１０が嵌合保持される構成において、それぞれ両面に複数の突起部を備える第１、第２の円環状ばね３２と円環状ばね３３を付勢用の弾性部材として使用する。カム筒３１はカム溝３２ｄ、３２ｅでカム筒中央部３１ａ、第１のカム保持部３１ｂ、第２のカム保持部３１ｃの複数の筒部に分割可能である。
【００４３】
カム筒中央部３１ｂは、一端にカム筒端面３１ｄ１、他端にカム筒端面３１ｅ１、カム筒３１が回転する力を受ける歯車３１ｆが形成される。第１のカム保持部３１ｂは、一端を第１の円環状ばね３２と当接し、他端にカムフォロア６と接触する複数のカム端面３１ｄ２が形成されている。第２のカム保持部３１ｃは、一端にカムフォロア７を押圧する複数のカム端面３１ｅ２が形成され、他端を第２の円環状ばね３３と当接する。
【００４４】
第１の円環状ばね３２は、一方をレンズユニットストッパ１０の端面１０ａに接触し、その反作用によって、第１のカム保持部３１ｂを鏡筒ベース方向に押圧し、第１のカム保持部の端面を介して、複数の第１のカムフォロア６をカム筒中央部３１ａの端面３１ｄ１に付勢する。
【００４５】
一方、第２の円環状ばね３３は一方を直進レンズ筒３のフランジ端面３ｂに接触し、その反作用によって、第２のカム保持部３１ｃをレンズ鏡筒先端方向に押圧し、第２のカム保持部の端面３１ｅ２を介して、複数の第２のカムフォロア７をカム筒中央部の端面３１ｅ１に付勢する。この結果として、カム筒３１を回転駆動させることにより、第１のレンズ群１１、レンズユニット４、カムフォロア６は光軸方向に一体的に移動し、同様に第２のレンズ群１２、レンズユニット５、カムフォロア７は光軸方向に一体的に移動することにより、第１、第２のレンズ群１１、１２の相対位置をカム筒中央部３１ａの端面３１ｄ１、３１ｅ１の距離で規定することが可能となる。なお、前記構成のレンズ鏡筒において、各レンズ以外の部品は、いずれも金属若しくは樹脂製であり、各レンズはガラス若しくは樹脂製である。
【００４６】
前記構成のレンズ鏡筒が備える直進ガイド筒に設けられて第１、第２のレンズユニットの移動を光軸方向に規制する直進ガイド溝３ａは、直進ガイド筒の一端に解放されている。
前記構成のレンズ鏡筒が備えるカム筒は、カム筒中央部、第１のカム保持部、第２のカム保持部を個々に成形するため、カム溝を形成する場合に必要となる抜き型及び切削工程を使用しないことから、レンズ位置精度に最も影響するカム溝の各端面の平坦性及び端面角度等の精度を比較的容易に確保することが可能である。
【００４７】
最後に、前記構成のレンズ鏡筒が備えるカム筒は、カム筒中央部、第１のカム保持部、第２のカム保持部を個々に成形し、後に一体化するため、カム筒のカム溝の各端面を径方向にずらして配置することなく、カム溝の各端面を対向させることが可能であり、レンズ鏡筒の小径化に有効である。
【図面の簡単な説明】
【００４８】
【図１】本発明の一つの実施形態に係るレンズ鏡筒の構成を模式的に示す分解斜視図である。
【図２】図１のレンズ鏡筒のカム筒の構成を示す分解斜視図である。
【図３】図１のレンズ鏡筒の構成を模式的に示す縦断面図である。
【図４】直進ガイドキーを使用したレンズ鏡筒の構成を模式的に示す分解斜視図である。
【図５】図４のレンズ鏡筒のレンズユニットの詳細な構成を示す斜視図である。
【図６】直進ガイド部材を使用したレンズ鏡筒の構成を模式的に示す分解斜視図である。
【図７】本発明の他の一例の実施形態に係るレンズ鏡筒の構成を模式的に示す分解斜視図である。
【図８】本発明の他の一例の実施形態に係るレンズ鏡筒の構成を模式的に示す分解斜視図である。
【符号の説明】
【００４９】
１、１ａ、１ｂ、１ｃ、１ｄ  レンズ鏡筒
２  カム筒
２ａ  カム筒中央部
２ｂ  第１のカム保持部
２ｃ  第２のカム保持部
２ｄ  第１のカム溝
２ｅ  第２のカム溝
２ｆ  歯車
３  直進ガイド筒
４、４１、４３  第１のレンズユニット
５、４２、４４  第２のレンズユニット
６  第１のカムフォロア
７  第２のカムフォロア
８  鏡筒ベース
９  鏡筒カバー
１０  レンズユニットストッパ
１１  第１のレンズ群
１２  第２のレンズ群
１３  第３のレンズ部
１４  付勢ばね
１５  第１の直進ガイドキー
１６  第２の直進ガイドキー
１７  直進ガイド部材
２１  カム筒
２１ｇ  第１のばね部
２１ｈ  第２のばね部
３１  カム筒
３２  第１の円環状ばね
３３  第２の円環状ばね
【図１】
2005274704.tif 000003
【図２】
2005274704.tif 000004
【図３】
2005274704.tif 000005
【図４】
2005274704.tif 000006
【図５】
2005274704.tif 000007
【図６】
2005274704.tif 000008
【図７】
2005274704.tif 000009
【図８】
2005274704.tif 000010